(57)【要約】【課題】体内留置チューブが間違った場所に留置され、気管などが合併症を引き起こすことを防ぐ位置決め装置を有する体内留置チューブを提供する。【解決手段】位置決め装置を有する体内留置チューブは、チューブ１、磁場コイル２及び誘導回路基板４を備える。前記チューブ１は、挿入端１１及び手持ち端１２を有する。前記挿入端１１と前記手持ち端１２とは連通する。前記磁場コイル２は、前記チューブ１の前記挿入端１１内に埋設され、周波数１２０〜１４０ｋＨｚである。前記誘導回路基板４は、誘導コイル４１と、前記誘導コイル４１と電気的に接続された警告部材４２とを有する。【選択図】図１
2019030658.tif 000002
【特許請求の範囲】
【請求項１】
チューブ、磁場コイル及び誘導回路基板を備えた、位置決め装置を有する体内留置チューブであって、
前記チューブは、挿入端及び手持ち端を有し、前記挿入端と前記手持ち端とは連通し、
前記磁場コイルは、前記チューブの前記挿入端内に埋設され、周波数１２０〜１４０ｋＨｚであり、
前記誘導回路基板は、誘導コイルと、前記誘導コイルと電気的に接続された警告部材と、を有することを特徴とする、
位置決め装置を有する体内留置チューブ。
【請求項２】
前記チューブは、シリコーン又はポリエチレンからなり、前記手持ち端には、給電モジュールが設けられ、前記チューブ内に埋設された電線は、前記磁場コイルと電気的に接続されることを特徴とする請求項１に記載の位置決め装置を有する体内留置チューブ。
【請求項３】
前記警告部材は、ブザー装置又は発光ダイオードであり、前記誘導回路基板は、統計ウェハーを有することを特徴とする請求項１に記載の位置決め装置を有する体内留置チューブ。
【発明の詳細な説明】
【技術分野】
【０００１】
本発明は、位置決め装置を有する体内留置チューブに関し、特に、体内留置チューブの現在の位置を知ることができ、医療従事者が挿入過程でも現在のチューブの進度をはっきりと知ることができ、体内留置チューブの挿入の成功率及び速度を高めることができる、位置決め装置を有する体内留置チューブに関する。
【背景技術】
【０００２】
医学の進歩により、人類の平均寿命は延びたが、現代人の不節制な食習慣及び環境の変化に伴い、様々な疾病にかかる人が増えている。例えば、認知症、重度の胃食道逆流、重度の腸内ガスなどの疾病にかかった人は一般に食事したり食べ物を嚥下したりすることが困難であるため、それらの病人は、一般に自分で食事することは困難であり、栄養チューブにより人体に必要な栄養を与える必要があった。
一般に人体内に留置するチューブは全て体内留置チューブと称され、人体に栄養を供給するチューブが留置されると、胃腸を介して病人が栄養を直接吸収することができ、経鼻胃管により栄養補給し、１本の管状物が鼻腔から挿入され、食道を経て胃に達するが、これは医師又は医師により指示された看護師が経鼻胃管を挿入設置することが一般的であった。
【０００３】
体内留置チューブを挿入設置する際、病人の疾病に応じてチューブを選択する必要がある。経鼻胃管の場合、鼻咽部、食道などの小さな空間にまず通過させる必要があるため、挿入が困難であり、現在、経鼻胃管を人体に挿入設置する方式では、医学の進歩に伴い、新しい方式が現れた。
初期の設置方式は、病人に側臥位又は半座位の姿勢を取らせ、如何なる補助工具も無く、直接、鼻腔から経鼻胃管を挿入し、経鼻胃管が胃に達したときに、その位置が正確か否かを判断しなければならないが、現在の判断方式では、栄養チューブの通気針により経鼻胃管の末端から栄養を注入し、１０〜２０ｍｌの空気を注入すると同時に、聴診器を病人の上腹部に当てて空気音を聞くことにより、経鼻胃管が胃の中に位置しているか否かを判断していた。その後、工具補助によりチューブ挿入作業を行い、例えば、経鼻胃管の前端に磁石を設置し、病人の人体内部に挿入すると、医師は、もう一つの磁石を利用し、人体の外部から経鼻胃管の磁石をガイドした。
特許文献１の経鼻経腸管は、磁石及びガイドワイヤーを利用し、経鼻経腸管を前進させ、チューブ挿入作業の速度を高めていたが、特許文献１で述べられているように、この方法は成功率が余り高くなかった。
【０００４】
内視鏡が開発された後は、体内留置チューブを結合して使用し、口腔から内視鏡を挿入し、鼻腔から挿入された経鼻胃管が一緒に胃部に達するため、内視鏡から送られてきた画像に基づき、医師は経鼻胃管の現在位置を知ることができる上、放射線装置を組み合わせてＸ線を照射し、病人の体内にある経鼻胃管の位置を正確に知ることができる。
しかし、これら内視鏡を主とするチューブ挿入方式は、成功率を大幅に高めることができるが、病人の口から別途内視鏡を挿入すると、病人が不快に感じやすい上、放射線を使用する場合、放射線被爆の不安を病人に与えることにもなった。そのため、便利で成功率が高い上、病人に不必要な不快感を与えない位置決め装置を有する体内留置チューブが求められていた。
【０００５】
こうした現状に鑑み、本発明者は鋭意研究を重ねた結果、本発明の位置決め装置を有する体内留置チューブを完成させたものである。
【先行技術文献】
【特許文献】
【０００６】
【特許文献１】中国特許出願公開第１０５９２０７２１Ａ号公報
【発明の概要】
【発明が解決しようとする課題】
【０００７】
本発明の主な目的は、医師が体内留置チューブの留置作業を行うときか作業が完了した後、病人の体内の体内留置チューブの現在位置を知り、体内留置チューブが間違った場所に留置され、気管などが合併症を引き起こすことを防ぐ位置決め装置を有する体内留置チューブを提供することにある。
【課題を解決するための手段】
【０００８】
上記課題を解決するために、本発明の第１の形態によれば、チューブ、磁場コイル及び誘導回路基板を備えた、位置決め装置を有する体内留置チューブであって、前記チューブは、挿入端及び手持ち端を有し、前記挿入端と前記手持ち端とは連通し、前記磁場コイルは、前記チューブの前記挿入端内に埋設され、周波数１２０〜１４０ｋＨｚであり、前記誘導回路基板は、誘導コイルと、前記誘導コイルと電気的に接続された警告部材と、を有することを特徴とする位置決め装置を有する体内留置チューブを提供する。
【０００９】
前記チューブは、シリコーン又はポリエチレンからなり、前記手持ち端には、給電モジュールが設けられ、前記チューブ内に埋設された電線は、前記磁場コイルと電気的に接続されることが好ましい。
【００１０】
前記警告部材は、ブザー装置又は発光ダイオードであり、前記誘導回路基板は、統計ウェハーを有することが好ましい。
【発明の効果】
【００１１】
本発明の位置決め装置を有する体内留置チューブは、医師が体内留置チューブの留置作業を行うときか作業が完了した後、病人の体内の体内留置チューブの現在位置を知り、体内留置チューブが間違った場所に留置され、気管などが合併症を引き起こすことを防ぐ。
【図面の簡単な説明】
【００１２】
【図１】本発明の一実施形態に係る位置決め装置を有する体内留置チューブを示す説明図である。
【図２】本発明の一実施形態に係る位置決め装置を有する体内留置チューブを示す説明図である。
【発明を実施するための形態】
【００１３】
以下、本発明の実施形態について図に基づいて説明する。なお、これによって本発明が限定されるものではない。
【００１４】
まず、図１を参照する。図１は、本発明の一実施形態に係る位置決め装置を有する体内留置チューブを示す説明図である。
図１に示すように、本発明の一実施形態に係る位置決め装置を有する体内留置チューブは、少なくともチューブ１、磁場コイル２及び誘導回路基板（ｉｎｄｕｃｅｄ  ｃｉｒｃｕｉｔ  ｂｏａｒｄ）４から構成されてなる。チューブ１は、挿入端１１及び手持ち端１２を有する。挿入端１１と手持ち端１２とは連通する。
磁場コイル２は、チューブ１の挿入端１１内に埋設される。チューブ１は、シリコーン（ｓｉｌｉｃｏｎｅ）又はポリエチレン（ｐｏｌｙｅｔｈｙｌｅｎｅ：ＰＥ）からなる。誘導回路基板４は、誘導コイル４１と、誘導コイル４１と電気的に接続された警告部材４２と、統計ウェハー（ｓｔａｔｉｓｔｉｃａｌ  ｗａｆｅｒ）と、を有する。
【００１５】
このような構成により、電磁誘導方式により誘導回路基板４の誘導コイル４１に誘導起電力を発生させ、警告部材４２を起動させて注意を促すことができる。警告部材４２は、ブザー装置又は発光ダイオードであるが、医師に注意を促すことができるその他の物でもよい。磁場コイル２から発する周波数は１２０〜１４０ｋＨｚである。
もし磁場強度が十分でない場合、電磁誘導を発生させ、チューブ１の手持ち端１２に給電モジュール３を設け、チューブ１内に埋設した電線を磁場コイル２と電気的に接続し、給電モジュール３を介して電力を磁場コイル２へ供給し、誘導起電力を高めてもよい。
【００１６】
以下、本実施形態により、本発明の実際の応用範囲を説明するが、これは本発明の範囲を何ら限定するものではない。
【００１７】
図１及び図２を参照する。図１及び図２に示すように、本発明の一実施形態に係る位置決め装置を有する体内留置チューブは、経鼻胃管を例にすると、まず、医師が経鼻胃管のチューブ１の手持ち端１２を把持し、挿入端１１を病人の鼻腔に挿入する。食道を経て胃部まで達した後、挿入端１１の磁場コイル２に磁場が発生し、医師が誘導回路基板４を手で持って病人の体に近づけ、誘導回路基板と病人の体との距離を約１０〜１５ｃｍにし、誘導コイル４１を磁場コイル２に近づけると、磁場コイル２に発生する１２０〜１４０ｋＨｚの周波数が、電磁誘導の原理により、誘導コイル４１に電圧を生じさせ、接続された警告部材４２が作動し、磁場コイル２の周波数が高すぎるか低すぎる場合、誘導コイル４１に電圧が生じなくなる。
一般にはＬＥＤを警告部材４２として用い、作動するときにＬＥＤが発光するため、医師は経鼻胃管の挿入端１１が病人の体内のどの位置にあるか判断することができる。
【００１８】
磁場強度が十分でなく、誘導回路基板４の誘導コイル４１に警告部材４２を駆動させる電圧を発生させることができる場合、チューブ１の手持ち端１２に設けた給電モジュール３を再起動させ、チューブ１内に埋設された電線により電力を別途磁場コイル２へ供給するため、スムーズに電磁誘導を発生させて誘導起電力を高めることができる。
【００１９】
上述したような構造によりＬＥＤのランプ光に基づき、医師は経鼻胃管の位置を速やかに調整し、チューブ１の挿入端１１を胃部領域に正確に到達させ、経鼻胃管のチューブ挿入を完了し、それに続く数週間の栄養補給により、人体に必要な栄養を病人に補給することができる。
【００２０】
また、誘導回路基板４の統計ウェハーは、病人が使用する経鼻胃管を記録する機能を有し、１名の病人は自身の身体状況により、１本以上の経鼻胃管を交換する。各経鼻胃管は、病人の身体に適した使用期限も異なるため、チューブ１を病人の体内に挿入する前に誘導回路基板４の統計ウェハーを起動すると、医師又は看護師が使用している電子機器にメッセージが送信され、医療従事者はこの病人が使用している経鼻胃管の使用期間を知ることができる上、この病人が既に使用した経鼻胃管の本数の統計をとることができるため、医療従事者は病人の状態を容易に知ることができる。
【００２１】
本発明の位置決め装置を有する体内留置チューブは、以下（１）及び（２）の効果を有する。
（１）位置決め装置を有する体内留置チューブは、磁場コイル及び誘導コイルを有し、電磁誘導方式により電気から磁力を発生させたり、磁力から電気を発生させたりし、通電させた磁場コイルは、誘導コイルに誘導起電力を発生させ、誘導回路基板に電気的に接続された警告部材を作動させ、誘導方式で人体の内部及び外部を接続させることができる。
（２）位置決め装置を有する体内留置チューブの誘導回路基板は、位置決めして設置するために用い、既に電力を発生させた誘導コイルにより、警告部材が音声、ランプ光などの様々な方式で注意を促し、医師は、体内留置チューブの位置をはっきりと知ることができるため、体内留置チューブが所望の位置に達する速度及び成功率を高めることができる。そのため、従来技術では別途、内視鏡、放射線装置などを用いて視覚的に認識することにより体内留置チューブの位置を判断していたが、本発明は別途体内にその他の物を挿入する必要がないため、病人は不快に感じることがない。
【符号の説明】
【００２２】
１    チューブ
２    磁場コイル
３    給電モジュール
４    誘導回路基板
１１  挿入端
１２  手持ち端
４１  誘導コイル
４２  警告部材
【図１】
2019030658.tif 000003
【図２】
2019030658.tif 000004